(57)【要約】【課題】  本発明はパルス系列の形をとるデータを送信するための方法に関する。【解決手段】  その方法は、データフレームＤＦの受信機によって実行される信号同期ステップを含み、その過程では、少なくとも１つの時間窓ΔＴ（０）が、パルス系列の開始ＰＳＢを探すために信号検出ステップ中に走査され、その後、その時間窓は所定の数の部分窓ΔＴ（１）に細分され、その後、パルス系列の開始ＰＳＢがその部分窓のうちの１つの中で検出されるまで、さらに別の信号検出ステップにおいてその部分窓が走査され、その部分窓のうちの１つが以前の時間窓ΔＴ（０）の代わりに用いられることになり、それは、結果として生成される部分窓の幅が所定の最小幅よりも小さくなるまで続けられる。本発明によれば、パルス系列の完全なマッピングを必要とすることなく、パルス系列の開始を特定できるようになる。【選択図】  図５
2005051788.tif 000002
【特許請求の範囲】
【請求項１】
少なくとも１つの送信機と１つの受信機とを含む通信システムにおいてデータを送信するための方法であって、
前記送信機はＮｐ個の時間窓にわたってＮｐ個のパルスからなる少なくとも１つの系列によって形成される信号を送信するように構成され、
前記パルスはそれぞれ１つの時間チップの中に入れられ、その関連する時間窓内の前記時間チップの位置はチップ番号によって定義され、
前記方法は少なくとも１つの信号同期ステップを含み、
前記信号同期ステップの過程では、所定の幅を有する少なくとも１つの時間窓が、パルス系列の開始を探すために信号検出ステップ中に走査され、
パルス系列の開始が前記時間窓内で検出された場合には、前記時間窓は所定の数の部分窓に細分され、
その後、前記パルス系列の開始を探すために、そのような開始が前記部分窓のうちの１つの中で検出されるまで、さらに別の信号検出ステップにおいて前記部分窓が走査され、
前記部分窓のうちの前記１つが以前の時間窓の代わりに用いられることになり、
それは、結果として生成される部分窓の幅が所定の最小幅よりも小さくなるまで続けられる、
通信システムにおいてデータを送信するための方法。
【請求項２】
前記チップ番号によって定義される前記時間チップを含むＮｐ個の検出窓が、各信号検出ステップ中に予想されるパルス系列を探すために検査されることになる請求項１に記載の通信システムにおいてデータを送信するための方法。
【請求項３】
前記各検出窓の前記検査は、受信信号と、一連のＮｐ個の予想されるパルス形式との間の相関の全ての検出窓にわたる平均値によって定義される検出値を計算することを含み、
前記検出値は所定の閾値と比較されることになる請求項２に記載の方法。
【請求項４】
前記各検出窓の前記検査は、受信信号と、一連のＮｐ個の予想されるパルス形式との間の相関の二乗された値の全ての検出窓にわたる平均値によって定義される検出値を計算することを含み、
前記検出値は所定の閾値と比較されることになる請求項２に記載の方法。
【請求項５】
前記所定の閾値は前記受信信号の振幅とは無関係である請求項３または４に記載の方法。
【請求項６】
少なくとも１つの送信機および１つの受信機を含む通信システムであって、
前記送信機はＮｐ個の時間窓にわたってＮｐ個のパルスからなる少なくとも１つの系列によって形成される信号を送信するように構成され、
前記パルスはそれぞれ１つの時間チップ内に入れられ、その関連する時間窓内の前記時間チップの位置はチップ番号によって定義され、
前記システムでは、前記受信機は、パルス系列の開始を探すために信号検出手段によって走査されることになる所定の幅を有する少なくとも１つの時間窓を特定するように構成される信号同期手段を含み、
パルス系列の開始が前記時間窓内で検出された場合には、前記時間窓は所定の数の部分窓に細分され、
その後、前記パルス系列の開始を探すために、そのような開始が前記部分窓のうちの１つの中で検出されるまで、前記信号検出手段によって前記部分窓が走査され、
前記部分窓のうちの前記１つが以前の時間窓の代わりに用いられることになり、
それは、結果として生成される部分窓の幅が所定の最小幅よりも小さくなるまで続けられる、通信システム。
【請求項７】
前記信号検出手段は、予想されるパルス系列を探すために、前記チップ番号によって定義される前記時間チップを含むＮｐ個の検出窓の検査を実行するように構成される、請求項６に記載の通信システム。
【請求項８】
前記検出手段は、受信信号と、一連のＮｐ個の予想されるパルス形式との間の相関の全ての検出窓にわたる平均値によって定義される検出値を計算するための計算手段と、
前記検出値を所定の閾値と比較するための比較手段とを含む請求項７に記載の通信システム。
【請求項９】
前記検出手段は、受信信号と、一連のＮｐ個の予想されるパルス形式との間の相関の二乗された値の全ての検出窓にわたる平均値によって定義される検出値を計算するための計算手段と、
前記検出値を所定の閾値と比較するための比較手段とを含む請求項７に記載の通信システム。
【請求項１０】
前記計算手段は、
Ｎｐ個の検出窓中に起動され、前記受信機によって受信された信号と、前記相関モジュールに関連付けられる特性信号との間の相関を前記検出窓にわたって計算するようにそれぞれ構成される、複数の相関モジュールと、
前記相関モジュールのうちの１つによって供給される出力値を累算するようにそれぞれ構成される、複数の累算モジュールと、
前記累算モジュールのうちの１つに含まれる値の二乗された値を生成するようにそれぞれ構成される、複数の二乗モジュールと、
前記所定の閾値と比較されることになる検出値を生成するために、前記二乗モジュールによって供給される出力値の和を計算するように構成される加算器とを含む請求項９に記載の通信システム。
【請求項１１】
前記計算手段は、
前記受信機によって受信された信号を供給されるように構成される少なくとも１つのバンドパスフィルタと、
前記検出窓中に起動され、前記バンドパスフィルタによって供給される信号を一連のデジタルサンプルに変換するように構成されるサンプリングモジュールと、
前記サンプリングモジュールによって供給される一連のサンプルが格納されるように構成されるメモリ手段と、
一連の累算されたサンプルを供給するように構成される加算器であって、前記累算されたサンプルはそれぞれ、前記メモリ手段内に格納される種々の一連のサンプルの中の同じランクを有する全てのサンプルの和から生成される、加算器と、
前記加算器によって供給される前記累算されたサンプルの全ての検出窓にわたる平均二乗値を計算するように構成される積分器であって、前記平均二乗値は前記検出値を構成する、積分器とを備える請求項９に記載の通信システム。
【請求項１２】
Ｎｐ個の時間窓にわたってＮｐ個のパルスからなる少なくとも１つの系列によって形成される信号を受信するように構成される装置であって、
前記パルスはそれぞれ１つの時間チップ内に入れられ、その関連する時間窓内の前記時間チップの位置はチップ番号によって定義され、
前記装置は、パルス系列の開始を探すために信号検出手段によって走査されることになる所定の幅を有する少なくとも１つの時間窓を特定するように構成される信号同期手段を含み、
パルス系列の開始が前記時間窓内で検出された場合には、前記時間窓は所定の数の部分窓に細分され、
その後、前記パルス系列の開始を探すために、そのような開始が前記部分窓のうちの１つの中で検出されるまで、前記信号検出手段によって前記部分窓が走査され、
前記部分窓のうちの前記１つが以前の時間窓の代わりに用いられることになり、
それは、結果として生成される部分窓の幅が所定の最小幅よりも小さくなるまで続けられる、信号を受信するように構成される装置。
【請求項１３】
前記信号検出手段は、予想されるパルス系列を探すために前記チップ番号によって定義される前記時間チップを含むＮｐ個の検出窓の検査を実行するように構成される請求項１２に記載の信号を受信するように構成される装置。
【発明の詳細な説明】
【技術分野】
【０００１】
本発明は、少なくとも１つの送信機および１つの受信機を含む通信システムにおいてデータを送信するための方法に関し、その送信機は、Ｎｐ個の時間窓にわたってＮｐ個のパルスからなる少なくとも１つの系列によって形成される信号を送信するように構成され、各パルスは１つの時間チップ内に入れられ、その関連する時間窓内のその時間チップの位置はチップ番号によって定義される。
【背景技術】
【０００２】
そのようなデータ伝送方法は現在、いわゆる超広帯域通信システム（ＵＷＢシステムとも呼ばれる）の妥当性を評価する目的で研究されている。そのようなシステムでは、各送信機は先に記載されたチップ番号によって形成されるシグネチャによって特定されることができ、シグネチャそのものは変動の影響を受けにくく、全ての潜在的な受信機に確実かつ正確に伝達されることができる。
【０００３】
ＵＷＢシステムにおいて用いられるパルスは非常に短く、たとえば０．１ナノ秒未満の持続時間を有し、それにより、そのようなシステムは少なくとも１０ＧＨｚ程度の広い帯域幅を提供されるので、高い自由度を有し、それゆえそのようなシステムにとって数多くの実現可能な応用形態が見込まれる。
【０００４】
上記の信号は搬送信号を形成し、たとえば１つあるいは複数のパルス系列の位相あるいは振幅変調を実行することによって、その搬送信号を変調することにより、その搬送信号上に情報を符号化することができる。
【０００５】
現在用いられている通信システムでは、変調された信号に含まれる実際の情報を送信する前に、データの送信機は通常、送信されることになるヘッダを挿入する。このヘッダは、所定の参照シンボルを記述するパルス系列を含み、それは予め受信機によって知られており、その結果、その受信機は、その参照シンボルを表す受信シンボルを解析することにより、送信機と受信機との間の通信条件が実際に、送信されるデータに如何に影響を及ぼすかを判定することができる。受信された参照シンボルをこのように解析することにより、受信機は、その実際の情報を搬送するさらに別のパルス系列が受信機によって受けることになる処理を調整できるようになる。
【０００６】
したがって、受信機は、受信された参照シンボルを特定することができ、このために、そのような参照シンボルを搬送するパルス系列の開始を正確に特定することができなければならない。ある系列の開始をそのように特定することは多くの場合に、当業者によって検出および同期ステップと呼ばれる。
【０００７】
現在の最新技術では、信号検出および同期は多くの場合に、雑音だけから構成されるかもしれず、あるいは１つの到来する搬送信号を含むかもしれない、受信アンテナの出力において供給される受信信号を、そのような搬送信号が有するはずである波形のグライディングモデルと相関をとることにより実行される。
【発明の開示】
【発明が解決しようとする課題】
【０００８】
そのようなグライディング相関技法は全パルス系列をマッピングできるようにし、それゆえその系列の開始を検出し、特定できるようにするが、この技法は、それだけでは、それぞれ持続時間が０．１ｎｓ未満のＮｐ個のパルスからなり、概ね１００ｎｓの幅をそれぞれ有する時間窓内に入れられる系列を検出することに現実には適用することはできない。たとえばＮｐ＝１２８で、サンプリング間隔が１０ｐｓの場合のそのような例では、パルス系列の全持続時間を走査するのに、その完了までに１．２８×１０６個の一連のパルス系列を必要とすることになり、その走査は１６秒続くことになるので、許容することはできない。
【０００９】
上記のグライディング相関技法に基づいてパルス系列のマッピングを実行するために膨大な時間がかかり、その間に送信機と受信機との間の通信条件が変わる、すなわち、たとえばこれらの装置のうちの一方あるいは両方が動くことに起因してこれらの装置間の通信チャネルが変更されることがあるので、結果として、１回の信号検出および同期ステップの過程において通信条件が変更され、その信号検出および同期ステップによって生成される結果の精度に悪影響が及ぼされる場合があることにも留意されたい。パルス系列を搬送する信号は、実際の（very）検出が完了する前に、消失する可能性もある。
【００１０】
本発明は、上記のようなデータを送信するための方法を提供することにより、先に述べられた問題を解決することを目的としており、その方法によれば、そのパルス系列の完全なマッピングを必要とすることなく、パルス系列の開始を特定できるようになる。
【課題を解決するための手段】
【００１１】
実際には、冒頭の段落によるデータを送信するための方法は本発明によって特徴付けられ、本発明の方法は少なくとも１つの信号同期ステップを含み、その過程では、所定の幅を有する少なくとも１つの時間窓が、パルス系列の開始を探すために信号検出ステップ中に走査され、パルス系列の開始がその時間窓内で検出された場合には、その時間窓は所定の数の部分窓に細分され、その後、そのパルス系列の開始を探すために、そのような開始がその部分窓のうちの１つの中で検出されるまで、さらに別の信号検出ステップにおいてその部分窓が走査され、その部分窓のうちの１つが以前の時間窓の代わりに用いられることになり、それは、結果として生成される部分窓の幅が所定の最小幅よりも小さくなるまで続けられる。
【００１２】
本発明による同期方法では、既知のグライディング相関技法においてなされるように、受信信号は、予想されるパルス系列の全持続時間にわたって完全には走査されない。代わりに、その走査は、予想されるパルス系列の選択された部分に限定される。このように限定されるのは、本発明による同期ステップと、当該技術分野において既に知られている検出および同期方法との間の目的に差があるためである。
【００１３】
実際には、予想されるパルス系列の全持続時間にわたってグライディング相関によって実行される既知の検出および同期方法は、検出される系列のタイミングを正確に特定することを目的とするのに対して、本発明による同期ステップの過程において実行される検出ステップは、所与の時間間隔内に所与のパルス系列が開始するか否かを判定し、さらにそれを細分することのみを目的としている。
【００１４】
実行されることになる第１の検出ステップ中に、１つの系列の全持続時間が段階的に走査されることができ、各段階は上記の条件と同じ条件において約１０ｎｓの持続時間を有し、それは、Ｎｐ＝１２８パルスの予想される系列の全持続時間の走査が、その完了までに１．２８×１０３の一連のパルス系列しか必要とせず、１６ミリ秒、すなわち上記のグライディング相関技法に基づく時間の１０００分の１の短い時間しか続かないことを意味する。当然、走査されることになる関連する時間間隔がはるかに短くなるので、さらに別の検出ステップが、より迅速に実行されるであろう。
【００１５】
本発明の特定の実施形態によれば、同期ステップ中に実行されることになる信号検出ステップは、現在用いられている技法によるステップよりもはるかに速く実行されることができる。
【００１６】
そのような信号検出ステップ中に、チップ番号によって定義される時間チップを含むＮｐ個の検出窓が、予想されるパルス系列を探すために検査されることになる。
【００１７】
本発明のこの特定の実施形態によれば、予め受信機に伝達されている、送信機のシグネチャによって定義される検出窓のみを走査することにより、同期方法を実行するために必要とされる処理時間および電力をさらに削減できるようになる。
【００１８】
１つのパルスを探して検出窓を検査するために、そのような検出ステップ中に種々の技法を用いることができる。
【００１９】
本発明のこの特定の実施形態の第１の変更形態によれば、各検出窓の検査は、受信信号と、一連のＮｐ個の予想されるパルス形式との間の相関の全ての検出窓にわたる平均値によって定義される検出値を計算することを含み、その検出値は所定の閾値と比較されることになる。
【００２０】
予想される構成で検出されるパルスが、統計的に妥当な頻度で現われるようにするのを高めるために、相関値は１より大きな任意の所与の累乗Ｎ乗まで高められることが有利である。
【００２１】
本発明のこの特定の実施形態の第２の変更形態によれば、各検出窓の検査は、受信信号と、一連のＮｐ個の予想されるパルス形式との間の相関の二乗された値の全ての検出窓にわたる平均値によって定義される検出値を計算することを含み、その検出値は所定の閾値と比較されることになる。
【００２２】
後に説明されるように、二乗された相関値を用いることにより、検出値の計算をさらに容易に実施できるようになる。
【００２３】
チャネル減衰のような通信条件が信号検出ステップの結果に著しく影響を及ぼさないようにすることを確実にするために、上記の所定の閾値は受信信号の振幅とは無関係にすることが好ましいであろう。
【００２４】
そのハードウエア向けの態様のうちの１つによれば、本発明は、少なくとも１つの送信機と１つの受信機とを含む通信システムにも関連し、その送信機はＮｐ個の時間窓にわたってＮｐ個のパルスからなる少なくとも１つの系列によって形成される信号を送信するように構成され、各パルスは１つの時間チップ内に入れられ、その関連する時間窓内の時間チップの位置はチップ番号によって定義され、そのシステムでは、受信機は、パルス系列の開始を探すために信号検出手段によって走査されることになる所定の幅を有する少なくとも１つの時間窓を特定するように構成される信号同期手段を含み、パルス系列の開始がその時間窓内で検出された場合には、その時間窓は所定の数の部分窓に細分され、その後、そのパルス系列の開始を探すために、そのような開始がその部分窓のうちの１つの中で検出されるまで、その信号検出手段によってその部分窓が走査され、その部分窓のうちの１つが以前の時間窓の代わりに用いられることになり、それは、結果として生成される部分窓の幅が所定の最小幅よりも小さくなるまで続けられる。
【００２５】
そのようなシステムの特定の実施形態によれば、信号検出手段は、予想されるパルス系列を探すためにチップ番号によって定義される時間チップを含むＮｐ個の検出窓の検査を実行するように構成される。
【００２６】
そのような特定の実施形態の第１の変更形態によれば、検出手段は、受信信号と、一連のＮｐ個の予想されるパルス形式との間の相関の全ての検出窓にわたる平均値によって定義される検出値を計算するための計算手段と、その検出値を所定の閾値と比較するための比較手段とを含む。
【００２７】
そのような特定の実施形態の第２の変更形態によれば、検出手段は、受信信号と、一連のＮｐ個の予想されるパルス形式との間の相関の二乗された値の全ての検出窓にわたる平均値によって定義される検出値を計算するための計算手段と、その検出値を所定の閾値と比較するための比較手段とを含む。
【００２８】
そのような第２の変更形態の実現可能な実施形態によれば、計算手段は、
Ｎｐ個の検出窓中に起動され、受信機によって受信された信号と、その相関モジュールに関連付けられる特性信号との間の相関をその検出窓にわたって計算するようにそれぞれ構成される、複数の相関モジュールと、
相関モジュールのうちの１つによって供給される出力値を累算するようにそれぞれ構成される、複数の累算モジュールと、
累算モジュールのうちの１つに含まれる値の二乗された値を生成するようにそれぞれ構成される、複数の二乗モジュールと、
所定の閾値と比較されることになる検出値を生成するために、二乗モジュールによって供給される出力値の和を計算するように構成される加算器とを含む。
【００２９】
上記の第２の変形形態の別の実現可能な実施形態によれば、その計算手段は、
受信機によって受信される信号を供給されるように構成される少なくとも１つのバンドパスフィルタと、
検出窓中に起動され、バンドパスフィルタによって供給される信号を一連のデジタルサンプルに変換するように構成されるサンプリングモジュールと、
サンプリングモジュールによって供給される連続した一連のサンプルが格納されるように構成されるメモリ手段と、
一連の累算されたサンプルを供給するように構成される加算器であって、累算されたサンプルはそれぞれ、メモリ手段内に格納される種々の一連のサンプルの中の同じランクを有する全てのサンプルの和から生成される、加算器と、
加算器によって供給される累算されたサンプルの全ての検出窓にわたる平均二乗値を計算するように構成される積分器であって、平均二乗値は検出値を構成する、積分器とを備える。
【００３０】
そのハードウエア向けの態様の別の態様によれば、本発明は、Ｎｐ個の時間窓にわたってＮｐ個のパルスからなる少なくとも１つの系列によって形成される信号を受信するように構成される装置にも関連し、パルスはそれぞれ１つの時間チップ内に入れられ、その関連する時間窓内の時間チップの位置はチップ番号によって定義され、その装置は、パルス系列の開始を探すために信号検出手段によって走査されることになる所定の幅を有する少なくとも１つの時間窓を特定するように構成される信号同期手段を含み、パルス系列の開始がその時間窓内で検出された場合には、その時間窓は所定の数の部分窓に細分され、その後、そのパルス系列の開始を探すために、そのような開始がその部分窓のうちの１つの中で検出されるまで、その信号検出手段によってその部分窓が走査され、その部分窓のうちの１つが以前の時間窓の代わりに用いられることになり、それは、結果として生成される部分窓の幅が所定の最小幅よりも小さくなるまで続けられる。
【００３１】
そのような受信装置の特定の実施形態によれば、信号検出手段は、予想されるパルス系列を探すためにチップ番号によって定義される時間チップを含むＮｐ個の検出窓の検査を実行するように構成される。
【００３２】
したがって、そのような受信装置に含まれる検出手段は、本発明の先に記載された実施形態による信号検出ステップを実行することができるであろう。
【発明を実施するための最良の形態】
【００３３】
本発明の先に記載された特徴および他の特徴は、添付の図面に関連して与えられる以下に記載される詳細な説明を読むことにより、さらに明らかになるであろう。
【００３４】
図１は、本発明が具現される通信システムＳＹＳＴを示す。このシステムＳＹＳＴは、少なくとも１つの送信装置ＴＲＤと、少なくとも１つの受信装置ＲＣＤとを含み、それらはたとえば移動電話によって構成されることができる。送信装置ＴＲＤは、Ｎｐ個の時間窓にわたってＮｐ個のパルスｐｊ（ただしｊ＝１〜Ｎｐ）からなる少なくとも１つの系列によって形成される信号Ｃｓｇを送信するように構成されており、各パルスは１つの時間チップ内に入れられ、その関連する時間窓内の時間チップの位置はチップ番号ｃｊ（ただしｊ＝１〜Ｎｐ）によって定義される。
【００３５】
この信号Ｃｓｇは搬送信号を形成することができ、たとえば、１つあるいは複数のパルス系列の位相あるいは振幅変調を実行することによって、その搬送信号Ｃｓｇを変調することにより、送信装置ＴＲＤによって、その搬送信号上に情報を符号化することができる。
【００３６】
受信機ＲＥＣは、そのような到来する信号Ｃｓｇを検出し、その到来する信号Ｃｓｇに含まれるパルス系列の開始を特定するための検出手段ＤＥＴおよび同期手段ＳＹＮＣを設けられる。
【００３７】
図２は、そのような到来する信号Ｃｓｇをクロノグラムの形で示しており、そのクロノグラムによれば、各パルス系列は全持続時間Ｔｐを有し、その全持続時間は、持続時間Ｔｆをそれぞれ有する時間窓に分割され、各時間窓は時間チップＴｃに細分されており、各窓内の１つの時間チップは１つのパルスｐｊ（ただしｊ＝１〜Ｎｐ）を含むように構成されており、１つの時間チップはチップ番号ｃｊによって特定される。したがって、この搬送信号Ｃｓｇの送信機は、全ての上記のチップ番号ｃｊ（ただしｊ＝１〜Ｎｐ）を合わせることによって形成されるシグネチャＳｇ＝（ｃ１、ｃ２．．．ｃＮｐ）により特定されることになり、そのシグネチャＳｇそのものは変動の影響を受けにくく、それゆえ全ての潜在的な受信機に確実かつ正確に伝達されることができる。
【００３８】
図３は、上記のパルスを構成するために選択されることができる実現可能な形状ｐ（ｔ）を示す別のクロノグラムである。ここに示される例では、このパルスｐ（ｔ）はガウス関数の二次の導関数として定義され、それは数学的には以下のように表すことができる。
ｐ（ｔ）＝Ａ［１−４π（ｔ／Ｔｗ）２］ｅｘｐ（−２π（ｔ／Ｔｗ）２）
当然、この同じ目的のために、当業者に知られている他のパルス形状を用いることもできる。
【００３９】
図４は、上記のパルス系列のような一連のパルス系列によって形成されるデータフレームＤＦを示すさらに別のクロノグラムであり、各パルス系列は全持続時間Ｔｐを有し、所与の系列が後続の系列によって変更されるのを防ぐために、２つのそのような系列間にガード区間ＧＩが周期的に挿入される。そのような変更は、たとえば、その２つのパルス系列間の相互変調積によって引き起こされ得る。こうして、このデータフレームＤＦは、それぞれＴｒ＝Ｔｐ＋ＧＩの持続時間Ｔｒを有し、かつそれぞれ上記のようなパルス系列を含む連続したフレームによって構成される。
【００４０】
本発明によれば、このデータフレームＤＦに適用されることになる処理を同期させるために、そのデータフレームＤＦを受信するように構成される装置は、所与の時間間隔ΔＴ中に上記のようなパルス系列の開始を検出できなければならない。ただしΔＴは所定の同期閾値ΔＴｔまで小さくされることができる。
【００４１】
図５は、この目的を果たすために同期手段によって実行されることになる信号同期ステップを示す。信号同期ステップの初期段階では、検出手段によって走査されることになる時間窓の初期幅が所定の値ΔＴ（０）に設定され、その値は後に極めて迅速に小さくされるであろう。その後、予想されるパルス系列の開始ＰＳＢが見つけられるまで、そのようなパルス系列の幅Ｔｒ内でその時間窓の位置をシフトすることにより、受信されたデータフレームＤＦが走査される。その際、以前の窓ΔＴ（０）は、たとえば、それを等しい持続時間のＰ個の部分窓に分割することにより、部分窓ΔＴ（１）に分割される。この例では、３に等しいＰが選択される。その後、これらの部分窓ΔＴ（１）はそれぞれ、検出されたパルス系列の開始ＰＳＢがこれらの部分窓ΔＴ（１）のうちの１つの中で特定されるまで検出手段によって走査され、その部分窓はその後、以前の部分窓ΔＴ（２）に分割されることになり、それが続けられる。
【００４２】
したがって、この過程は、選択された時間窓ΔＴ（ｍ）の中しか走査する必要がなく、その時間窓は全パルス系列の幅Ｔｒよりもはるかに小さな幅を有するので、この過程は、最後の検出窓Ｔ（２）が分割されることになる部分窓の幅、ここには示されないが、たとえばＴ（３）が、所定の最小幅Ｔｍｗよりも小さくなる状態に向かって極めて迅速に収束し、それは、本発明による方法が、既知の検出および同期方法よりもはるかに速く実行されることができることを意味する。
【００４３】
図６は、１つのパルス系列が初期時間窓ΔＴ（０）をｍ回だけ細分することから生成される時間窓ΔＴ（ｍ）内で如何に都合よく検出されることができるかを示す。本発明のこの実施形態によれば、受信装置に含まれる信号検出手段ＤＥＴは、予想されるパルス系列に属するパルスを探すためにチップ番号によって定義される時間チップを含むＮｐ個の検出窓Ｄｊ（ｍ）（ただしｊ＝１〜Ｎｐ）を検査するように構成され、パルスは図面において破線で示される。第１のチップ番号に対応する第１の瞬間ｔ１は、初期時間窓ΔＴ（０）をｉ回だけ細分することから生成される時間窓ΔＴ（ｍ）の中心に配置され、それは他の全てのチップ番号とともに、他の全ての瞬間ｔｊ（ただしｊ＝２〜Ｎｐ）の位置を決定する。各検出窓Ｄｊ（ｍ）（ただしｊ＝１〜Ｎｐ）は、これらの瞬間ｔｊのうちの１つを中心にして配置され、１つの時間チップ間隔Ｔｃよりも広く、持続時間ΔＴ（ｍ）を有し、それは、ここに示される検出ステップＤＥＴを実行することが結局は、受信装置が、既知のシグネチャに基づいて送信されその受信装置によって受信されるように構成されるパルス系列が時間間隔ΔＴ（ｍ）中に開始されたか否かを判定する際に存在する問題に対する答えを与えることになることを意味する。
【００４４】
本発明のこの実施形態による検出ステップは、予想されるパルスを探すために、それらの個々の関連するチップ番号によって定義される瞬間ｔｊ（ただしｊ＝１〜Ｎｐ）を中心にして配置される、選択された時間窓Ｄｊ（ｍ）を走査することしか必要としない。
【００４５】
これにより、所与のパルス系列が所与の時間間隔ΔＴ内に開始するか否かを単一のステップにおいて判定できるようになるのに対して、既知のグライディング相関技法では、その所与の系列の全持続時間Ｔｐの完全な走査を実行するためにいくつかの基本的な相関を実行した後にのみ、そのように判定できたと言うことができる。
【００４６】
この図面には、所与の瞬間ｔｊを中心にして配置され、ｔｊ−ΔＴ（ｍ）／２およびｔｊ＋ΔＴ（ｍ）／２に等しい下限および上限それぞれによって画定される検出窓Ｄｊ（ｍ）の走査を実行する実現可能な方法も示される。この例では、受信信号と一連のＮｐ個の予想されるパルスＥｐｊとの間の相関の全検出窓にわたる平均値によって定義される検出値が計算される。その後、この検出値は、所定の閾値と比較される。
【００４７】
この検出値の計算は、全ての走査された検出窓Ｄｊ（ｍ）の下限ｔｊ−ΔＴ（ｍ）／２から上限ｔｊ＋ΔＴ（ｍ）／２まで、それぞれ予想されるパルスを表す一連のＮｐ個のパターンＥｐｊを量εだけ連続的にシフトすることと、εの値毎に、その一連のＮｐ個のパターンＥｐｊを表すベクトルと受信信号との間のスカラー積を計算することと、受信信号と一連のＮｐ個の予想されるパルス形式Ｅｐｊとの間の相関を構成する、このスカラー積の一連の計算された値を累算することとによって実行される。
【００４８】
受信されたパルスＲｐが検出窓Ｄｊの中に実際に存在する場合を強調し、雑音ピークＦｐが上記のスカラー積の有意な値を生成し得る異常な状態(freak occurrence)が生じないようにするために、その相関は二乗されることが好ましいであろう。雑音ピークＦｐの振幅は実際に受信されるパルスＲｐの振幅よりも低いからである。
【００４９】
本発明者はさらに、ここで説明されることになるように、二乗された相関値を用いることにより、検出ステップの実施を簡単にできるようになることにも気が付いている。以下の説明では、パルス系列の開始が探索され、初期時間窓ΔＴ（０）をｍ回だけ細分することから生成される時間窓の持続時間ΔＴ（ｍ）がΔＴで表されるであろう。
【００５０】
上記の二乗された相関が（ｙ｜ｓ（−ε））２で表される（ただしｓおよびｙはそれぞれ予想される信号ｓ（ｔ）および受信信号ｙ（ｔ）を表すベクトルである）場合には、対応する検出値は、以下の式によって与えられる二次形式として表されることができる。
【００５１】
【数１】
2005051788.tif 000003
【００５２】
Ｑ（ｙ）が所定の閾値Ｔｖよりも大きい場合には、受信信号ｙ（ｔ）はｙ（ｔ）＝Ａｓ（ｔ−ε）＋ｎ（ｔ）（ただし、ｔは［−ΔＴ／２；Ｔｐ＋ΔＴ／２］に属する）である状態Ｈ１に対応するものと見なされ、Ｑ（ｙ）＜Ｔｖである場合には、受信信号ｙ（ｔ）はｙ（ｔ）＝ｎ（ｔ）（ただし、ｎ（ｔ）は雑音によって構成される）である状態Ｈ０に対応するものと見なされるであろう。
【００５３】
所定の閾値ＴｖはＰｆａで表される誤アラーム（false alarm）の所定の確率に基づいて定義され、Ｐｆａは、ｙ（ｔ）がｙ（ｔ）＝ｎ（ｔ）として表される状態Ｈ０にあるときに、Ｑ（ｙ）>Ｔｖを有する可能性に対して取り得る最も高い値であり、それにより、閾値ρを予想される信号あるいは受信される信号の振幅とは無関係にすることができるようになる。
【００５４】
本発明人は、その実施を容易にするために、上記の二次形式が変形されることができることがわかっている。実際には、ｙ｜ｓ（−ε）＝Ｔｙｓ（−ε）＝Ｔｓ（−ε）ｙ（ただしｙおよびｓは列行列であり、Ｔｙは列行列ｙの転置行行列である）であることに注目することにより、Ｑ（ｙ）は、Ｑ（ｙ）＝ＴｙＱｙの形に書き換えることができる。ただし、Ｑはｙの成分には依存しない成分を有する行列である。
【００５５】
本発明人は、この行列Ｑがほとんど空であり、以下の形で表されることができることにも気が付いている。
【００５６】
【数２】
2005051788.tif 000004
【００５７】
ただしＭは、単に予想されるパルスｐ（ｔ）の形状に基づいて計算される部分行列であり、行列Ｑ内の各部分行列Ｍの位置は上記の検出窓Ｄｊの位置によって定義され、すなわち各部分行列Ｍは、この行列内のその座標が（ｔｌ；ｔｒ）（ただし、ｌおよびｒ＝１〜Ｎｐ）である、行列Ｑの点ａｌ，ｒを中心にして配置される。
【００５８】
各パルスｐ（ｔ）が図３に示されるようなパルスである場合には、各部分行列Ｍは、たとえば以下の式によって定義されることができる。
【００５９】
【数３】
2005051788.tif 000005
【００６０】
本発明人は、各部分行列Ｍが、個々の固有ベクトルＶｉ（ただしｉ＝１〜ｋ）に対応する固有値によって形成される対角成分を有する対角行列の形で書き表されることができることに気が付いており、結果として、二次形式Ｑ（ｙ）は以下のように書き直すことができる。
【００６１】
【数４】
2005051788.tif 000006
【００６２】
それは受信信号ｙ（ｔ）をｋ個の相関モジュールに供給することにより実施されることができ、そのモジュールはそれぞれ、Ｎｐ個の検出窓中に起動され、その受信信号ｙ（ｔ）と、その相関モジュールに関連付けられる固有ベクトルＶｉを表す特性信号との間の相関を、その窓にわたって計算するように構成され、その相関モジュールによって供給される出力値はその後、検出値を形成するＱ（ｙ）の値を生成するために、累算され、さらに二乗された後で加算され、その検出値は所定の閾値ρと比較されるであろう。
【００６３】
図７は検出手段ＤＥＴを概略的に示しており、検出値Ｄｖを生成するために、上記の二次形式Ｑ（ｙ）が計算手段ＣＰによって計算され、その検出値Ｄｖは比較手段ＣＭによって閾値Ｔｖと比較されることになり、比較手段ＣＭは、２状態出力信号ＯＳを供給するように構成される簡単な演算増幅器によって形成されることができ、その信号ＯＳの値が、到来するパルスが検出されたか否かを判定するであろう。計算手段ＣＰは、連続した検出窓Ｄｊ中にイネーブル信号ＥＮによって起動されることになり、
複数の相関モジュールＣＲＭｉ（ただしｉ＝１〜ｋ）であって、その相関モジュールはそれぞれ、Ｎｐ個の検出窓中に起動され、受信機によって受信された信号Ｙと、相関モジュールＣＲＭｉに関連付けられる固有ベクトルＶｉを表す特性信号との間の相関をその検出窓にわたって計算するように構成される、複数の相関モジュールＣＲＭｉと
複数の累算モジュールＡＣＭｉ（ただしｉ＝１〜ｋ）であって、その累算モジュールはそれぞれ、相関モジュールＣＲＭｉのうちの１つによって供給される出力値を累算するように構成される、複数の累算モジュールＡＣＭｉと、
複数の二乗モジュールＳＱＭｉ（ただしｉ＝１〜ｋ）であって、その二乗モジュールはそれぞれ、その累算モジュールＡＣＭｉのうちの１つに含まれる値の二乗された値を生成するように構成される、複数の二乗モジュールＳＱＭｉと、
所定の閾値Ｔｖと比較されることになる検出値Ｄｖを生成するために、二乗モジュールＳＱＭｉによって供給される出力値の和を計算するように構成される加算器ＡＤＤとを含む。
【００６４】
そのような実施態様は非常に簡単であり、極めて低コストで実施されることができる。さらに、上記の全てのモジュールはアナログ回路によって形成されることができる。たとえば、ギルバートセルに関連付けられる代替のフィルタが各相関モジュールを都合よく形成することができ、二乗モジュールは同一の入力信号を供給されるギルバートセル等によって形成されることができる。アナログ回路は、その処理速度が高いことで知られており、サンプリングを全く必要としないので、本発明のこの実施形態による信号検出ステップを実行するのに必要とされる処理電力および時間をさらに削減できるようになるであろう。
【００６５】
図８は検出手段ＤＥＴの別の実施形態を示しており、計算手段ＣＰが以下に記載される原理を実施する。
【００６６】
本発明者は、ガウス補正（Gaussian reduction）を適用することにより、二次形式Ｑ（ｙ）の上記の式が以下のように書き換えられることに気が付いている。
【００６７】
【数５】
2005051788.tif 000007
【００６８】
ただし記号＊はたたみ込み演算を示しており、Ｈは以下の式を表す。
【００６９】
【数６】
2005051788.tif 000008
【００７０】
ここでｈは受信信号ｙ（ｔ）を供給されるように構成されるバンドパスフィルタの伝達関数であり、そのバンドパスフィルタの伝達関数ｈはｔＮｐ−ｔｊだけ連続して遅延され、そのバンドパスフィルタのインパルス応答は、上記の行列Ｍに基づいて決定され、予想されるパルスｐ（ｔ）の全幅Ｔｗに広がる。
【００７１】
したがって、その二次形式Ｑ（ｙ）は以下のように書き表すことができる。
【００７２】
【数７】
2005051788.tif 000009
【００７３】
ただし、ｖ（ｔ）＝ｈ＊ｙ（ｔ）であり、ｖ｜Ｄｊは信号ｖ（ｔ）を検出窓Ｄｊに限定することを示す。
【００７４】
以下の式は、バンドパスフィルタの出力信号のＮｐ個のスライスの同相成分の和を表すものと解釈されることができ、そのスライスは検出窓Ｄｊを中心にして配置される。
【００７５】
【数８】
2005051788.tif 000010
【００７６】
そのような同相成分の和を計算するために、Ｎｐ個のスライスがサンプリングされ、その後、メモリ手段に格納されることができ、その際、同相成分の和は、同じランクの全てのサンプルを合算することにより、あるいはそのサンプルの前処理が必要とされる事例では、同じランクの計算し直されたサンプルを合算することにより計算される。
【００７７】
これらの原理によれば、この図７に示される別の実施形態では、計算手段ＣＰは、
受信機によって受信された信号Ｙを供給されるように構成される少なくとも１つのバンドパスフィルタＢＰＦと、
クロック信号Ｃｋによって刻時されるサンプリングモジュールＳＭＰであって、サンプリングモジュールＳＭＰは検出窓Ｄｊ（ただしｊ＝１〜Ｎｐ）中に起動され、バンドパスフィルタＢＰＦによって供給される信号をＳ個のデジタルサンプルからなる種々のサンプル列ＳＤＳｊに変換するように構成される、サンプリングモジュールＳＭＰと、
サンプリングモジュールＳＭＰによって供給されるＳ個のサンプルからなる連続したサンプル列ＳＤＳｊ（ただしｊ＝１〜Ｎｐ）が格納されるように構成されるメモリ手段ＭＥＭと、
一連のＳ個の累算されたサンプルを供給するように構成される加算器ＡＤＤであって、累算されたサンプルはそれぞれ、メモリ手段ＭＥＭ内に格納されるＳ個のサンプルからなる種々のサンプル列ＳＤＳｊ（ただしｊ＝１〜Ｎｐ）の中の同じランクＲｋｌ（ただしｌ＝１〜Ｓ）を有する全てのサンプルの和から生成される、加算器ＡＤＤと、
加算器ＡＤＤによって供給されるＳ個の累算されたサンプルの全ての検出窓にわたる平均二乗値を計算するように構成される積分器ＩＮＴであって、その平均二乗値は、比較手段ＣＭによって所定の閾値Ｔｖと比較されるようになされる検出値Ｄｖを構成する、積分器ＩＮＴとを備える。
【００７８】
そのような実施形態は非常に簡単であり、極めて低コストで実施されることができる。受信信号Ｙの帯域幅が１つのバンドパスフィルタＢＰＦによって全体として取り扱うにはあまりにも広くなる場合には、そのフィルタは、並列に配置され、かつ受信信号Ｙの帯域幅を細分した帯域幅をそれぞれ網羅する複数の狭帯域のバンドパスフィルタによって構成されることができる。
【図面の簡単な説明】
【００７９】
【図１】本発明が用いられる通信システムを示す機能図である。
【図２】そのような通信システムにおいて送信される搬送信号を構成するパルス系列を示すクロノグラムである。
【図３】そのような系列を生成するために用いられることができるパルスモデルを示すクロノグラムである。
【図４】複数のパルス系列を含むデータフレームを示すクロノグラムである。
【図５】本発明による信号同期方法を示すクロノグラムである。
【図６】本発明による信号検出ステップを示すクロノグラムである。
【図７】本発明の特定の実施形態による検出手段を示すブロック図である。
【図８】本発明の別の特定の実施形態による検出手段を示す別のブロック図である。
【符号の説明】
【００８０】
ＡＣＭｉ  累算モジュール、ＡＤＤ  加算器、ＢＰＦ  バンドパスフィルタ
ｃｊ  チップ番号、ＣＭ  比較手段、ＣＰ  計算手段、ＣＲＭｉ  相関モジュール、Ｃｓｇ  信号、ＤＥＴ  検出手段（信号検出手段、検出ステップ）、Ｄｊ  時間窓（検出窓）、Ｄｖ  検出値、Ｅｐｊ  予想されるパルス（パターン）、ＩＮＴ  積分器、ＭＥＭ  メモリ手段、ｐ、ｐｊ、ｐ（ｔ）  パルス、ＲＣＤ  受信装置、ＳＭＰ  サンプリングモジュール、ＳＱＭｉ  二乗モジュール、ＳＹＮＣ  同期手段、ＳＹＳＴ  通信システム、Ｔｃ  時間チップ、ＴＲＤ  送信装置、Ｔｖ  閾値、ΔＴ  部分窓。
【図１】
2005051788.tif 000011
【図２】
2005051788.tif 000012
【図３】
2005051788.tif 000013
【図４】
2005051788.tif 000014
【図５】
2005051788.tif 000015
【図６】
2005051788.tif 000016
【図７】
2005051788.tif 000017
【図８】
2005051788.tif 000018